(57)【要約】【課題】駆動機構格納室からタービンハウジングの外部へ通じる隙間を塞ぎ、駆動機構格納室内に排気が流入することを抑制し、これにより駆動機構格納室内に排気に含まれるＨＣが入り込むことを抑制し、ノズルベーンを動作させる駆動機構にデポジットが堆積することを抑制する技術を提供する。【解決手段】リンクシャフト７３の外周の軸方向における途中に第１径方向面７３１を有する第１段差７３２を設け、ガイド４７の内周の軸方向における途中に第２径方向面４７１を有する第２段差４７２を設け、第１、第２径方向面７３１，４７１の軸方向位置を等しく配置し、リンクシャフト７３のリンク室側の外周とガイド４７のリンク室側の内周と第１、第２径方向面７３１，４７１とで囲まれた環状空間Ｓ１に薄板ワッシャ形状シール部材１３を備える。【選択図】図３
2008190494.tif 000002
【特許請求の範囲】
【請求項１】
排気が吹き付けられるタービンと、開度を変更することにより前記タービンに吹き付けられる排気の流速を変更するノズルベーンと、を有する可変容量型ターボチャージャであって、
前記ノズルベーンを動作させる駆動機構を格納し、前記ノズルベーンが配置された空間及びタービンハウジングの外部と壁で隔てられ且つ壁面で囲まれた空間であって、前記ノズルベーンが配置された空間へ通じる隙間及び前記外部へ通じる隙間が存在する駆動機構格納室を備え、
前記駆動機構格納室から前記外部へ通じる隙間を、前記駆動機構に接続された軸部材と、該軸部材を前記軸部材の外周側でガイドするガイド部材と、の間で形成しており、
前記軸部材の前記駆動機構格納室側の外周を前記外部側の外周よりも小径に形成し、前記軸部材の外周の軸方向における途中に軸方向に対して垂直な第１径方向面を有する第１段差を設け、
前記ガイド部材の前記駆動機構格納室側の内周を前記外部側の内周よりも大径に形成し、前記ガイド部材の内周の軸方向における途中に軸方向に対して垂直な第２径方向面を有する第２段差を設け、
前記第１、第２径方向面の軸方向位置を等しく配置し、前記軸部材の前記駆動機構格納室側の外周と前記ガイド部材の前記駆動機構格納室側の内周と前記第１、第２径方向面とで囲まれた環状空間に環状シール部材を備えたことを特徴とする可変容量型ターボチャージャ。
【請求項２】
前記環状シール部材は、前記駆動機構格納室から前記外部に向かう圧力を受けて前記第１、第２径方向面に押し付けられ、前記駆動機構格納室から前記外部へ通じる前記軸部材と前記ガイド部材との間の隙間を塞ぐことを特徴とする請求項１に記載の可変容量型ターボチャージャ。
【請求項３】
前記環状シール部材は、薄板ワッシャ形状であることを特徴とする請求項１又は２に記載の可変容量型ターボチャージャ。
【発明の詳細な説明】
【技術分野】
【０００１】
本発明は、可変容量型ターボチャージャに関する。
【背景技術】
【０００２】
内燃機関においては、内燃機関から排出される排気のエネルギを利用して駆動されるターボチャージャを備える場合がある。ターボチャージャを備えることで、内燃機関の気筒内への吸入空気の充填効率を向上させて機関出力を向上させている。
【０００３】
そして、ターボチャージャの中には、可変容量型ターボチャージャと呼ばれるものがある。可変容量型ターボチャージャは、例えば内燃機関の低回転運転領域のように排気の量が少ない場合でも、ノズルベーンの開度を閉方向に変更することで、排気の流速を高め、タービンの回転速度及び回転力を増加させることができるものである。これにより、コンプレッサの回転速度及び回転力が増加し、吸入空気の密度を高め、気筒内への吸入空気の充填効率を向上させることができるものである。
【０００４】
ここで、ノズルベーンは、スクロール室内に配置され、スクロール室外から延びるベーンシャフトを介して駆動される。ベーンシャフトは、例えばリンク機構により動作させられるため、スクロール室外にはリンク機構を格納するリンク室が設けられる。つまり、スクロール室とリンク室が隣り合い、その間を壁で隔てるようにしている。そして、該壁にはベーンシャフトが壁を貫通するための孔が開けられており、さらにはベーンシャフトの作動を壁が阻害しないようにするためにベーンシャフトと孔との間には僅かな隙間（以下、ベーンシャフト隙間という）が存在する。
【０００５】
さらに、リンク機構は可変容量型ターボチャージャのタービンハウジングの外部からリンクシャフトにより操作されるため、リンク室はタービンハウジングの外部と壁で隔てられている。そして、該壁にはリンクシャフトが壁を貫通するための孔が開けられており、さらにはリンクシャフトの作動を壁が阻害しないようにするためにリンクシャフトと孔との間には僅かな隙間（以下、リンクシャフト隙間という）が存在する。
【０００６】
ところで、大気圧よりも可変容量型ターボチャージャのタービンハウジング内部の排気の圧力が高いと、排気がスクロール室からベーンシャフト隙間、リンク室、リンクシャフト隙間、タービンハウジングの外部の順に流れる。このため、この排気の流れに乗って、排気中のＨＣがリンク室等に入り込んでしまう。そして、リンク室等に入り込んだＨＣは壁面等に付着し、変質してデポジットとして堆積する。
【０００７】
特に、可変容量型ターボチャージャのタービンハウジングよりも下流側の排気通路に排気浄化装置を備えていると、可変容量型ターボチャージャのタービンハウジングよりも上流側の排気中に燃料を添加する場合がある。このような燃料の添加が実行されると、リンク室等に入り込むＨＣ量が増加する。
【０００８】
そして、リンク室等にデポジットが堆積すると、デポジットによってリンク機構の作動が制限されるおそれがある。これにより、所望の過給圧が得られなくなるおそれがある。
【０００９】
ここで、デポジットは、リンク室等に入り込んだＨＣが付着することで生成される。そこで、リンク室の側壁に低熱伝導部を設け、リンク室の温度低下を抑制してＨＣの付着を抑制し、デポジットの生成を抑制する技術が開示されている（例えば、特許文献１参照）。
【特許文献１】特開２００６−１９４１３５号公報
【特許文献２】特開２００６−２２０１３１号公報
【特許文献３】特開２００３−４９６７５号公報
【発明の開示】
【発明が解決しようとする課題】
【００１０】
しかしながら、上記従来技術のようにリンク室の温度低下を抑制しても、例えば外気温や冷却水温が著しく低い時にはリンク室自体の持っている熱量が小さいため、リンク室の温度がＨＣの付着を抑制できる程高温でない場合がある。
【００１１】
また、リンクシャフト隙間に一般的なピストンリング型のシールを設け、リンク室からタービンハウジングの外部へ排気が流れることを防ぐ技術も考えられている。しかし、一般的なピストンリング型のシールでは、過大な組み付け応力やリングの塑性変形等の設計上の制約があり、可変容量型ターボチャージャへの適用は困難であった。
【００１２】
本発明の目的は、可変容量型ターボチャージャにおいて、駆動機構格納室からタービンハウジングの外部へ通じる隙間を塞ぎ、駆動機構格納室内に排気が流入することを抑制し、これにより駆動機構格納室内に排気に含まれるＨＣが入り込むことを抑制し、ノズルベーンを動作させる駆動機構にデポジットが堆積することを抑制する技術を提供することにある。
【課題を解決するための手段】
【００１３】
本発明にあっては、以下の構成を採用する。すなわち、
排気が吹き付けられるタービンと、開度を変更することにより前記タービンに吹き付けられる排気の流速を変更するノズルベーンと、を有する可変容量型ターボチャージャであって、
前記ノズルベーンを動作させる駆動機構を格納し、前記ノズルベーンが配置された空間及びタービンハウジングの外部と壁で隔てられ且つ壁面で囲まれた空間であって、前記ノズルベーンが配置された空間へ通じる隙間及び前記外部へ通じる隙間が存在する駆動機構格納室を備え、
前記駆動機構格納室から前記外部へ通じる隙間を、前記駆動機構に接続された軸部材と、該軸部材を前記軸部材の外周側でガイドするガイド部材と、の間で形成しており、
前記軸部材の前記駆動機構格納室側の外周を前記外部側の外周よりも小径に形成し、前記軸部材の外周の軸方向における途中に軸方向に対して垂直な第１径方向面を有する第１段差を設け、
前記ガイド部材の前記駆動機構格納室側の内周を前記外部側の内周よりも大径に形成し、前記ガイド部材の内周の軸方向における途中に軸方向に対して垂直な第２径方向面を有する第２段差を設け、
前記第１、第２径方向面の軸方向位置を等しく配置し、前記軸部材の前記駆動機構格納室側の外周と前記ガイド部材の前記駆動機構格納室側の内周と前記第１、第２径方向面とで囲まれた環状空間に環状シール部材を備えたことを特徴とする可変容量型ターボチャージャである。
【００１４】
ノズルベーンを動作させる駆動機構は、駆動機構格納室に格納され、ノズルベーンを動作させるために可変容量型ターボチャージャのタービンハウジングの外部からの動力を得て作動する。このため、タービンハウジングの外部からの動力をノズルベーンまで伝達するために、ノズルベーンが配置された空間と駆動機構格納室とを隔てる壁や駆動機構格納室とタービンハウジングの外部とを隔てる壁には例えば動力を伝達するシャフトと該シャフトが貫通する孔との間の隙間が存在する。
【００１５】
これらの隙間が存在すると、大気の圧力よりも高い圧力の排気が流れるノズルベーンが配置された空間から、駆動機構格納室を介しタービンハウジングの外部に向けて排気が流れる。そうすると、排気中のＨＣが駆動機構格納室に入り込み、壁面等に付着し変質してデポジットとして堆積するおそれがある。
【００１６】
そこで、本発明では、軸部材の駆動機構格納室側の外周とガイド部材の駆動機構格納室側の内周と第１、第２径方向面とで囲まれた環状空間に環状シール部材を備えるようにした。
【００１７】
これによると、環状シール部材が駆動機構格納室からタービンハウジングの外部へ通じる軸部材とガイド部材との間の隙間を塞ぐので、ノズルベーンが配置された空間から、駆動機構格納室を介しタービンハウジングの外部に向けて排気が流れることを抑制する。これにより、駆動機構格納室内に排気が流入することを抑制でき、駆動機構格納室内に排気に含まれるＨＣが入り込むことを抑制できる。よって、ＨＣが付着して変質することにより生じるデポジットがノズルベーンを動作させる駆動機構に堆積することを抑制できる。
【００１８】
なお、環状シール部材は、前記隙間を完全に塞ぐものだけでなく、前記隙間における排気の流通量を低減できるものであればよい。排気の流通量が低減できれば、駆動機構格納室内に排気に含まれるＨＣが入り込むことを抑制できるからである。
【００１９】
前記環状シール部材は、前記駆動機構格納室から前記外部に向かう圧力を受けて前記第１、第２径方向面に押し付けられ、前記駆動機構格納室から前記外部へ通じる前記軸部材と前記ガイド部材との間の隙間を塞ぐとよい。これによると、環状シール部材は、前記圧力を受けて前記隙間を塞ぐことができ、より好適なシール機能を発揮できる。そして、例えば、前記環状シール部材は、薄板ワッシャ形状であるとよい。
【発明の効果】
【００２０】
本発明によると、可変容量型ターボチャージャにおいて、駆動機構格納室からタービンハウジングの外部へ通じる隙間を塞ぎ、駆動機構格納室内に排気が流入することを抑制でき、これにより駆動機構格納室内に排気に含まれるＨＣが入り込むことを抑制でき、ノズルベーンを動作させる駆動機構にデポジットが堆積することを抑制できる。
【発明を実施するための最良の形態】
【００２１】
以下に本発明の具体的な実施例を説明する。
【００２２】
＜実施例１＞
図１は、本実施例に係る内燃機関及びその吸・排気系の概略構成を示す図である。
【００２３】
図１に示す内燃機関１は、ディーゼルエンジンである。内燃機関１は、気筒２内へ直接燃料を噴射可能な燃料噴射弁を備えている。
【００２４】
内燃機関１には、気筒２内へ空気を導く吸気通路３が接続されている。吸気通路３の途中には、遠心過給器（ターボチャージャ）４のコンプレッサハウジング４０とインタークーラ８が配置されている。
【００２５】
コンプレッサハウジング４０により過給された吸気は、インタークーラ８により冷却された後に気筒２内へ導かれるようになっている。気筒２内へ導かれた吸気は、気筒２内に配置された燃料噴射弁から噴射された燃料とともに気筒２内で着火及び燃焼される。
【００２６】
また、内燃機関１には、気筒２内で燃焼されたガスが排出される排気通路９が接続され
ている。排気通路９の途中には、ターボチャージャ４のタービンハウジング４１と排気浄化装置１０が配置されている。
【００２７】
気筒２内で燃焼されたガス（排気）は、排気通路９へ排出される。排気通路９へ排出された排気は、排気通路９の途中に配置されたタービンハウジング４１及び排気浄化装置１０を経由して大気中へ放出される。
【００２８】
タービンハウジング４１には、後述するノズルベーン６３を動作させるための駆動機構を格納するためのリンク室５０を備えており、該リンク室５０内の駆動機構はリンクロッド５１を介してアクチュエータ５２と接続されている。
【００２９】
排気浄化装置１０としては、酸化能とＮＯｘ吸蔵能を有する吸蔵還元型ＮＯｘ触媒、酸化能とＰＭ捕集能を有するパティキュレートフィルタ、或いは、吸蔵還元型ＮＯｘ触媒が担持されたパティキュレートフィルタ等を例示することができる。
【００３０】
また、タービンハウジング４１よりも上流側の排気通路９には、排気中に還元剤たる燃料を添加する燃料添加弁１１が配置されている。燃料添加弁１１から添加された燃料は、タービンハウジング４１を経て排気浄化装置１０に到達し、排気浄化装置１０において反応させられる。
【００３１】
ここで、本実施例におけるターボチャージャ４は、可変容量型ターボチャージャである。このターボチャージャ４の具体的な構成について図２を参照して説明する。ここで、図２（ａ）はターボチャージャの構成を示す断面図であり、図２（ｂ）はターボチャージャの可変ノズル機構を示す図である。
【００３２】
ターボチャージャ４は、コンプレッサハウジング４０とタービンハウジング４１とセンタハウジング４２とを備えて構成されている。コンプレッサハウジング４０は吸気通路３の途中に設けられ、コンプレッサハウジング４０の内部は吸気通路３の一部を構成している。また、タービンハウジング４１は排気通路９の途中に設けられ、タービンハウジング４１の内部は排気通路９の一部を構成している。そして、コンプレッサハウジング４０とタービンハウジング４１とは、センタハウジング４２を介して連結されている。
【００３３】
コンプレッサハウジング４０内には複数の羽を持ったコンプレッサ４３が備えられている。また、タービンハウジング４１内には複数の羽を持ったタービン４４が備えられている。コンプレッサ４３とタービン４４とは、センタハウジング４２に格納されたロータシャフト４５を介して連結されている。
【００３４】
また、タービンハウジング４１内には、タービン４４の外周を包囲する渦巻状のスクロール室４６が形成されている。
【００３５】
さらに、タービンハウジング４１内には、可変ノズル機構６０が内装されている。可変ノズル機構６０は、図２（ｂ）に示すようにリング状に形成されたリングプレート６１を備えている。このリングプレート６１は、不図示のボルトによってタービンハウジング４１に固定されている。そして、リングプレート６１には、複数のベーンシャフト６２が該リングプレート６１の円心を中心として等角度毎に設けられている。
【００３６】
各ベーンシャフト６２は、リングプレート６１をその厚さ方向に貫通して回転可能に支持されている。各ベーンシャフト６２のスクロール室４６側の一端には、ノズルベーン６３が固定されている。一方、ベーンシャフト６２の他端には、ベーンシャフト６２と直交してリングプレート６１の外縁部へ延びるベーンアーム６４が固定されている。ベーンシ
ャフト６２とベーンアーム６４とは、ベーンシャフト６２の中心軸を中心として一体に回転可能となっている。
【００３７】
各ベーンアーム６４とリングプレート６１との間には、リングプレート６１と重なり合うように環状の駆動リング６５が設けられている。この駆動リング６５は、その円心を中心に周方向へ回転可能となっている。また、駆動リング６５には狭持部６６が設けられ、リングプレート６１外縁側に延びたベーンアーム６４の端部が該狭持部６６に狭持されている。この狭持部６６によって、ベーンアーム６４の端部が回転可能で且つ駆動リング６５の直径方向に摺動可能となるように狭持されている。
【００３８】
このように構成された可変ノズル機構６０では、駆動リング６５がその円心を中心に回転すると、狭持部６６に狭持されているベーンアーム６４の端部も一緒に回転しようとする。しかし、ベーンアーム６４はベーンシャフト６２を中心に回転することしかできないので、各ベーンアーム６４の端部がベーンシャフト６２を中心として回転しつつ狭持部６６内を駆動リング６５の直径方向に移動する。その結果、ベーンアーム６４がベーンシャフト６２を回転させ、ベーンシャフト６２の回転に同期してノズルベーン６３がベーンシャフト６２を中心に回転することになる。
【００３９】
次に、可変ノズル機構６０の駆動、すなわち、駆動リング６５の回転駆動を行うリンク機構７０について説明する。駆動リング６５には、ベーンアーム６４と同形状の駆動アーム７１の一端を狭持する駆動アーム狭持部７２が設けられている。この駆動アーム狭持部７２は、狭持部６６と同様に駆動アーム７１の一端を摺動可能且つ回転可能に狭持している。
【００４０】
そして、駆動アーム７１の他端側には、ベーンシャフト６２の中心軸と同方向の中心軸を持つリンクシャフト７３の一端が固定されている。リンクシャフト７３は、コンプレッサハウジング４０側に延びてセンタハウジング４２を貫通しており、リンクシャフト７３の他端がタービンハウジングの外部に晒されている。そして、リンクシャフト７３は、センタハウジング４２に圧入されたガイド４７により回転可能に支持されている。リンクシャフト７３の他端側は、その一部が該リンクシャフト７３の回転軸と直交する方向に延びて駆動リンク７４を形成している。駆動リンク７４には、リンクシャフト７３の回転軸と平行する軸を持ったピン７５が固定されている。さらに、ピン７５はリンクロッド５１を回転可能に支持している。
【００４１】
このように構成された可変ノズル機構６０では、アクチュエータ５２と接続されているリンクロッド５１の進退動作により、駆動リンク７４がリンクシャフト７３を中心に回転される。駆動リンク７４が回転すると、それに同期してリンクシャフト７３が回転し、さらにリンクシャフト７３の回転に伴って駆動アーム７１が該リンクシャフト７３を中心に回転する。その結果、駆動アーム７１が駆動リング６５を周方向に押し、該駆動リング６５を回転させることになる。
【００４２】
以上述べたターボチャージャ４では、リンク機構７０によってノズルベーン６３の回転方向及び回転量（開度ともいう）を調節することにより、２つのノズルベーン６３間の流路の向き、及び２つのノズルベーン６３間の間隙を変更することが可能となる。すなわち、ノズルベーン６３の回転方向及び回転量を制御することにより、スクロール室４６からタービン４４に吹き付けられる排気の方向及び流速が調節されることになる。
【００４３】
なお、本実施例におけるリンク室５０が、本発明の駆動機構格納室に相当する。また、本実施例におけるリンク室５０内に格納されている可変ノズル機構６０及びリンク機構７０の一部（例えばベーンアーム６４、駆動リング６５、及び駆動アーム７１）が、本発明
の駆動機構格納室に格納される駆動機構に相当する。また、本実施例におけるリンクシャフト７３が本発明の軸部材に相当し、本実施例におけるガイド４７が本発明のガイド部材に相当する。
【００４４】
以上述べたように構成された内燃機関１には、該内燃機関１を制御するための電子制御ユニットであるＥＣＵ１２が併設されている。ＥＣＵ１２は、内燃機関１の運転条件や運転者の要求に応じて該内燃機関１を制御するユニットである。
【００４５】
ＥＣＵ１２には、燃料添加弁１１、アクチュエータ５２等が電気配線を介して接続され、それらをＥＣＵ１２により制御することが可能になっている。
【００４６】
ところで、ベーンシャフト６２を回転させるために、ベーンシャフト６２とリングプレート６１との間に隙間（ベーンシャフト隙間）が形成されている。同様に、リンクシャフト７３を回転させるために、リンクシャフト７３とガイド４７との間に隙間（リンクシャフト隙間）が形成されている。
【００４７】
このため、大気圧よりも高い圧力の排気がタービンハウジング４１内を流通する場合には、スクロール室圧、リンク室圧、大気圧の順に圧力が低くなるので、スクロール室４６内の排気が、ベーンシャフト隙間を通ってリンク室５０に流入する。さらに、リンク室５０内の排気は、リンクシャフト隙間を通ってターボチャージャ４のタービンハウジング４１の外部へ流出する。
【００４８】
このようにしてターボチャージャ４のタービンハウジング４１の外部へ流出する排気の量は極少量であるが、長期間にわたり排気が流れることにより、リンク室５０内には排気中に含まれるＨＣがリンク室５０内に付着する。そして、付着したＨＣは、変質してデポジットとして堆積し、リンク室５０内に格納されている可変ノズル機構６０及びリンク機構７０の一部の作動が制限されるおそれがある。
【００４９】
特に、ターボチャージャ４のタービンハウジング４１よりも下流側の排気通路９に排気浄化装置１０を備えているため、燃料添加弁１１からターボチャージャ４のタービンハウジング４１よりも上流側の排気中に燃料を添加する。このような燃料の添加が実行される場合に、リンク室５０に入り込むＨＣ量が増加する。
【００５０】
そこで、本実施例では、リンクシャフト７３とガイド４７との間の隙間、すなわちリンクシャフト隙間をシールするシール構造を設けるようにした。
【００５１】
ここで、リンクシャフト７３とガイド４７との間の隙間をシールするシール構造について図２（ａ）のＡ部を拡大する図３を参照して説明する。
【００５２】
リンクシャフト７３を回転させるために、リンクシャフト７３とガイド４７との間にリンクシャフト隙間が形成されている。このリンクシャフト隙間は、リンク室５０からタービンハウジング４１の外部へ通じる隙間であり、駆動アーム７１に一端が固定されたリンクシャフト７３と、リンクシャフト７３をリンクシャフト７３の外周側でガイドするガイド４７と、の間で形成されている。
【００５３】
そして、リンクシャフト７３のリンク室５０側の外周をタービンハウジング４１の外部側の外周よりも小径に形成し、リンクシャフト７３の外周の軸方向における途中に軸方向に対して垂直な第１径方向面７３１を有する第１段差７３２を設けている。
【００５４】
また、ガイド４７のリンク室５０側の内周をタービンハウジング４１の外部側の内周よ
りも大径に形成し、ガイド４７の内周の軸方向における途中に軸方向に対して垂直な第２径方向面４７１を有する第２段差４７２を設けている。
【００５５】
ここで、第１、第２径方向面７３１，４７１の軸方向位置は等しく配置され、第１、第２径方向面７３１，４７１は隙間を隔てた１平面的な環状面を構成している。このため、リンクシャフト７３のリンク室５０側の外周とガイド４７のリンク室５０側の内周と第１、第２径方向面７３１，４７１とで、３方向を囲まれた環状空間Ｓ１が形成されている。そして、この環状空間Ｓ１に、薄板ワッシャ形状シール部材１３を配置している。
【００５６】
薄板ワッシャ形状シール部材１３は、環状空間Ｓ１を形成するリンクシャフト７３のリンク室５０側の外周よりも大きな内径と、環状空間Ｓ１を形成するガイド４７のリンク室５０側の内周よりも小さな外径と、を有し、リンクシャフト７３の軸方向の厚さが薄肉の形状である。このような形状から、図３（ａ）に示すように、環状空間Ｓ１内をリンクシャフト７３の軸方向に自由移動することができる。
【００５７】
ところが、大気圧よりも高い圧力の排気がタービンハウジング４１内を流通する場合には、スクロール室圧、リンク室圧、大気圧の順に圧力が低くなるので、スクロール室４６内の排気が、ベーンシャフト隙間を通ってリンク室５０に流入する。さらに、リンク室５０内の排気は、リンクシャフト隙間を通ってターボチャージャ４のタービンハウジング４１の外部へ流出しようとする。
【００５８】
すると、図３（ｂ）に示すように、薄板ワッシャ形状シール部材１３は、リンク室５０からタービンハウジング４１の外部に向かう圧力を受けて、第１、第２径方向面７３１，４７１に押し付けられる。この際、薄板ワッシャ形状シール部材１３は、第１、第２径方向面７３１，４７１の両方と同時に接触し、第１、第２径方向面７３１，４７１の間のリンク室５０からタービンハウジング４１の外部へ通じるリンクシャフト７３とガイド４７との間の隙間を塞ぐ。
【００５９】
したがって、ノズルベーン６３が配置されたスクロール室４６から、リンク室５０を介しタービンハウジング４１の外部に向けて排気が流れることを抑制する。これにより、リンク室５０内に排気が流入することを抑制でき、リンク室５０内に排気に含まれるＨＣが入り込むことを抑制できる。よって、ＨＣが付着して変質することにより生じるデポジットがノズルベーン６３を動作させる可変ノズル機構６０及びリンク機構７０の一部に堆積することを抑制できる。
【００６０】
図４に本実施例の構成による効果を示す。図４上部に示すように、破線で示す従来のノズルベーン６３を駆動させる駆動力よりも、実線で示す本実施例での駆動力の方が長期の走行距離を経て駆動力が大きくなる。これは、図４下部に示すように、多量のデポジットが堆積するまでに、本実施例の方が従来に比して長期の走行距離を走行できるからである。この図４に示すように、本実施例では、従来よりもデポジットが堆積することを抑制できる。よって、可変容量型ターボチャージャ４を長寿命化できる。
【００６１】
本発明に係る可変容量型ターボチャージャは、上述の実施例に限定されるものではなく、本発明の要旨を逸脱しない範囲内において種々の変更を加えてもよい。
【００６２】
例えば、本実施例においては、リンクシャフト７３とガイド４７との間の隙間をシールする部材として、薄板ワッシャ形状シール部材１３を用いていたが、この形状に限られず、リンク室５０からタービンハウジング４１の外部に向かう圧力を受けて、第１、第２径方向面７３１，４７１に押し付けられるシール部材であればよい。
【００６３】
また、リンク室５０からタービンハウジング４１の外部に向かう圧力を受けて、第１、第２径方向面７３１，４７１に押し付けられないシール部材でもよい。例えば、環状空間Ｓ１に配置され、リンクシャフト７３とガイド４７との間の隙間における排気の流通量を低減できるものが挙げられる。排気の流通量が低減できれば、リンク室５０内に排気に含まれるＨＣが入り込むことを抑制できるからである。
【図面の簡単な説明】
【００６４】
【図１】実施例１に係る内燃機関とその吸・排気系を示す図である。
【図２】実施例１に係るターボチャージャを示す図である。図２（ａ）はターボチャージャの構成を示す断面図であり、図２（ｂ）はターボチャージャの可変ノズル機構を示す図である。
【図３】実施例１に係るリンクシャフトとガイドとの間の隙間をシールするシール構造を示す図である。図３（ａ）は通常状態を示す図であり、図３（ｂ）は圧力がかかる状態を示す図である。
【図４】実施例１に係るリンク室内のデポジットが低減される効果を示す図である。
【符号の説明】
【００６５】
１     内燃機関
２     気筒
３     吸気通路
４     可変容量型ターボチャージャ
８     インタークーラ
９     排気通路
１０   排気浄化装置
１１   燃料添加弁
１２   ＥＣＵ
１３   薄板ワッシャ形状シール部材
４０   コンプレッサハウジング
４１   タービンハウジング
４２   センタハウジング
４３   コンプレッサ
４４   タービン
４５   ロータシャフト
４６   スクロール室
４７   ガイド
５０   リンク室
５１   リンクロッド
５２   アクチュエータ
６０   可変ノズル機構
６１   リングプレート
６２   ベーンシャフト
６３   ノズルベーン
６４   ベーンアーム
６５   駆動リング
６６   狭持部
７０   リンク機構
７１   駆動アーム
７２   駆動アーム狭持部
７３   リンクシャフト
７４   駆動リンク
７５   ピン
４７１ 第２径方向面
４７２ 第２段差
７３１ 第１径方向面
７３２ 第１段差
Ｓ１   環状空間
【図１】
2008190494.tif 000003
【図２】
2008190494.tif 000004
【図３】
2008190494.tif 000005
【図４】
2008190494.tif 000006